(57)【特許請求の範囲】
【請求項１】
流路の途中に介装され、流路の開閉を行う手動の流路開閉器であって、手動の操作部により流路を開放すると共に該開放状態でロックし、前記開放状態において水流による水圧が加わると前記ロックを自動解除し、その後に水流が途絶えると流路閉止状態へ自動復帰することを特徴とする流路開閉器。
【請求項２】
操作部を押動させることで開閉弁体を付勢力に反して流路閉止状態から流路開放状態へと移動させる流路開放手段と、開閉弁体を流路開放状態に移動させた後に操作部を離すことで前記開閉弁体をその開放位置にロックするロック手段と、開閉弁体が流路開放状態にあるときに水が流れることで生じる動水圧によって前記開閉弁体のロック状態を解除するロック解除手段と、ロックを解除された開閉弁体を水流がある間において流路開放状態に制止すると共に、水流がなくなると流路閉止状態への付勢力による自動復帰を許容する開閉弁体制動手段とを有することを特徴とする請求項１に記載の流路開閉器。
【請求項３】
流路開放手段は、プッシュスイッチと、該プッシュスイッチの操作によって進退するプッシュロッドと、該プッシュロッドに固定されたピンであってプッシュロッドの進出に伴って開閉弁体の回動軸に設けられた螺旋ガイド溝と係合しながら進出することで前記開閉弁体を流路閉止状態から開放状態まで回動させるガイドピンとからなり、
ロック手段は、付勢バネにより背後から付勢され前記プッシュロッドの先端部に当接して該プッシュロッドを後退方向に常時付勢するロック用可動体と、流路開閉器の本体に固設され、前記開閉弁体を流路開放状態まで移動させた後にプッシュスイッチを離した際に前記ロック用可動体に係合し、これによって前記付勢バネによるプッシュロッドへの後退方向の付勢力を断つロック用固定体とからなり、
ロック解除手段は、開放状態にある開閉弁体に対して更に開く方向に動水圧が加わるように水流をガイドする水流ガイドと、前記動水圧によって開閉弁体が更に開いたときに前記プッシュロッドのガイドピンを更に進出させる前記開閉弁体の回動軸の螺旋ガイド溝と、前記ガイドピンの進出に伴って更に進出して前記ロック用可動体を押して前記ロック用固定体との係合を解くプッシュロッドとからなり、
開閉弁体制動手段は、水流が生じるとバネに抗して前記開放状態にある開閉弁体の前に進出して該開閉弁体の閉止方向への動きを制止し、水流がなくなると退避する制動体からなることを特徴とする請求項２に記載の流路開閉器。
【請求項４】
異なる種類の給湯運転に対して共通の給湯路とそこから分岐されてある特定の給湯運転に用いられる専用の給湯路とを有する給湯装置であって、ある特定の種類の給湯運転に対応して用いられる専用の給湯路の途中に請求項１〜３の何れかに記載の流路開閉器を配するようにし、該特定の給湯運転の際には、共通の給湯路に設けられた開閉弁が開放される前に前記流路開閉器を手動にて開放することで該専用の給湯路への温水供給を可能とすると共に、前記特定の給湯運転の終了の際には、前記共通の給湯路の開閉弁が一旦閉止されることで前記専用の給湯路の流路を自動的に閉止し、且つその後において他の給湯運転のために前記共通の給湯路の開閉弁が開かれても前記流路開閉器が配された専用の給湯路には温水が流れないようにしたことを特徴とする給湯装置。
【請求項５】
ある特定の種類の給湯運転においては、運転スイッチがオンしてから一定時間は共通の給湯路の開閉弁を閉止状態に保持し、その間に流路開閉器を手動操作にて開放できるように構成し、且つ運転の終了の際には少なくとも前記共通の給湯路の開閉弁を一旦閉止する構成としたことを特徴とする請求項４に記載の温水給湯装置。
【発明の詳細な説明】
【０００１】
【発明の属する技術分野】
本発明は流路開閉器及びそれを用いた給湯装置に関する。
【０００２】
【従来の技術】
従来より浴室の暖房は、換気扇型の温水式、電気式温風機、流湯暖房等、種々の暖房が提供されている。このうち前記流湯暖房は、温水を浴室の床に流して行う浴室暖房である。流湯暖房では給湯装置の一部の配管を浴室床部にまで延設する等して、給湯装置からの温水を利用したものが多い。
【０００３】
【発明が解決しようとする課題】
ところが、流湯暖房に給湯装置の給湯路の一部を延長して専用給湯路としたものを用い、浴室の床部まで延設されたこの専用給湯路の末端部に流路開閉弁を設けた場合、これを電磁式等の開閉弁とする場合には、給湯装置のリモコン部に設けたスイッチ等で容易に開閉制御することが可能となる反面、電磁式等の開閉弁まで電線を配線する必要があり、工事やメンテナンスが面倒になる問題がある。一方、専用給湯路に開閉弁を設けない場合には、給湯装置における他の給湯運転の際に、温水が必要のない流湯暖房の専用装置にも流れてしまうことになる。また通常の手動式の開閉弁を流湯暖房の専用給湯路に設ける場合には、流湯暖房の運転の開始時のみならず終了時にも開閉弁を手動操作しなければならず、不便である。
【０００４】
そこで本発明は上記従来の流湯暖房等の給湯装置やそれに用いる開閉弁の欠点を解消し、施工が簡単で、且つ使い方が簡単で便利な流路開閉器の提供を課題とする。またそのような流路開閉器を用いた給湯装置の提供を課題とする。
【０００５】
【課題を解決するための手段】
上記課題を解決するため、本発明の流路開閉器は、流路の途中に介装され、流路の開閉を行う手動の流路開閉器であって、手動の操作部により流路を開放すると共に該開放状態でロックし、前記開放状態において水流による水圧が加わると前記ロックを自動解除し、その後に水流が途絶えると流路閉止状態へ自動復帰することを第１の特徴としている。
また本発明の流路開閉器は、上記第１の特徴に加えて、操作部を押動させることで開閉弁体を付勢力に反して流路閉止状態から流路開放状態へと移動させる流路開放手段と、開閉弁体を流路開放状態に移動させた後に操作部を離すことで前記開閉弁体をその開放位置にロックするロック手段と、開閉弁体が流路開放状態にあるときに水が流れることで生じる動水圧によって前記開閉弁体のロック状態を解除するロック解除手段と、ロックを解除された開閉弁体を水流がある間において流路開放状態に制止すると共に、水流がなくなると流路閉止方向への付勢力による自動復帰を許容する開閉弁体制動手段とを有することを第２の特徴としている。
また本発明の流路開閉器は、上記第２の特徴に加えて、流路開放手段は、プッシュスイッチと、該プッシュスイッチの操作によって進退するプッシュロッドと、該プッシュロッドに固定されたピンであってプッシュロッドの進出に伴って開閉弁体の回動軸に設けられた螺旋ガイド溝と係合しながら進出することで前記開閉弁体を流路閉止状態から開放状態まで回動させるガイドピンとからなり、
ロック手段は、付勢バネにより背後から付勢され前記プッシュロッドの先端部に当接して該プッシュロッドを後退方向に常時付勢するロック用可動体と、流路開閉器の本体に固設され、前記開閉弁体を流路開放状態まで移動させた後にプッシュスイッチを離した際に前記ロック用可動体に係合し、これによって前記付勢バネによるプッシュロッドへの後退方向の付勢力を断つロック用固定体とからなり、
ロック解除手段は、開放状態にある開閉弁体に対して更に開く方向に動水圧が加わるように水流をガイドする水流ガイドと、前記動水圧によって開閉弁体が更に開いたときに前記プッシュロッドのガイドピンを更に進出させる前記開閉弁体の回動軸の螺旋ガイド溝と、前記ガイドピンの進出に伴って更に進出して前記ロック用可動体を押して前記ロック用固定体との係合を解くプッシュロッドとからなり、
開閉弁体制動手段は、水流が生じるとバネに抗して前記開放状態にある開閉弁の前に進出して該開閉弁体の閉止方向への動きを制止し、水流がなくなると退避する制動体からなることを第３の特徴としている。
また本発明の給湯装置は、異なる種類の給湯運転に対して共通の給湯路とそこから分岐されてある特定の給湯運転に用いられる専用の給湯路とを有する給湯装置であって、ある特定の種類の給湯運転に対応して用いられる専用の給湯路の途中に請求項１〜３の何れかに記載の流路開閉器を配するようにし、該特定の給湯運転の際には、共通の給湯路に設けられた開閉弁が開放される前に前記流路開閉器を手動にて開放することで該専用の給湯路への温水供給を可能とすると共に、前記特定の給湯運転の終了の際には、前記共通の給湯路の開閉弁が一旦閉止されることで前記専用の給湯路の流路を自動的に閉止し、且つその後において他の給湯運転のために前記共通の給湯路の開閉弁が開かれても前記流路開閉器が配された専用の給湯路には温水が流れないようにしたことを第４の特徴としている。
また本発明の給湯装置は、上記第４の特徴に加えて、特定の種類の給湯運転においては、運転スイッチがオンしてから一定時間は共通の給湯路の開閉弁を閉止状態に保持し、その間に流路開閉器を手動操作にて開放できるように構成し、且つ運転の終了の際には少なくとも前記共通の給湯路の開閉弁を一旦閉止する構成としたことを第５の特徴としている。
【０００６】
上記第１の特徴による流路開閉器によれば、流路に介装された流路開閉器の操作部を手で操作することで、流路を閉止状態から開放状態へと開放し、その状態でロックされる。この開放状態でのロックは、水が流れ、動水圧が加わることで解除される。その後に水流が途絶えることで動水圧が解消されると、流路を再び閉止状態とする。
よって第１の特徴による流路開閉器によれば、流路に温水等の水を流す場合において、流路開閉器によって初めに流路を開放すれば、給湯等の終了時には、何ら手動操作をすることなく流路を閉止状態に復帰させることができ、その分の手間が省ける。勿論、電線等を配線する必要がない。
【０００７】
また上記第２の特徴による流路開閉器によれば、流路開閉器の流路開閉手段の操作部を押動させると、流路開閉器の開閉弁体が付勢力に抗して流路閉止状態から流路開放状態に移動される。そして、その状態で操作部を離すと、流路開閉器のロック手段により開閉弁体がその開放状態でロックされる。そして開放状態で水が流れると、それによって生じる動水圧により流路開閉器のロック解除手段によって開閉弁体の前記ロックが解除される。この状態では、開閉弁体は水流による動水圧によって引き続き開放状態に押された状態にある。加えて水流が有る間は、開閉弁体制動手段によって開閉弁体が開放状態から閉止方向に復帰しないように制止される。が、水流がなくなると開閉弁体制動手段による制止が解かれ、動水圧も加わらないので、開閉弁体が流路閉止状態に自動復帰される。
よって第２の特徴による流路開閉器によれば、第１の特徴による作用効果に加えて、流路開放手段とロック手段とロック解除手段と開閉弁体制動手段とを有することで、１回の操作をするだけで、流路を確実に開放し、そして流水が有るまでは確実にその開放状態を維持し、水が流れている間は確実に開放状態を保持し、その後に流水が途絶えると自動的に且つ確実に流路を閉止することができる。
【０００８】
また上記第３の特徴による流路開閉器によれば、流路開放手段による流路の開放は、流路開放手段のプッシュスイッチを操作することでプッシュロッドが進出し、これによってプッシュロッドに固定のガイドピンが開閉弁体の回動軸に設けられた螺旋ガイド溝に係合しながら進出し、これによって前記回動軸が回り、開閉弁体が流路閉止状態から開放状態まで回動されることで行われる。
またロック手段による開閉弁体のロックは、開閉弁体を流路開放状態まで移動させた後にプッシュスイッチを離すことで、ロック用可動体が流路開閉器の本体に固設のロック用固定体と係合する。これによって付勢バネによるプッシュロッドへの付勢力が解除され、該プッシュロッドがその位置に止まる。よって開閉弁体も流路開放状態のままロック状態となる。
またロック解除手段による前記開閉弁体のロックの解除は、開放された流路に水が流れたときに、水流ガイドによって加えられる動水圧で開閉弁体が更に開かれ、これによって開閉弁体の回動軸の螺旋ガイドとガイドピンとを介してプッシュロッドが更に進出する。この進出により前記ロック用可動体が後退方向に押されてロック用固定体からその係合が解かれる。これによって付勢バネによる付勢力が再びプッシュロッドに加わり、ロック状態が解除される。
また開閉弁体制動手段による開閉弁体の制動は、流路開閉器内の流路の一部に設けられることになる制動体によって行われる。この制動体は水流の発生によりバネに抗して進出し、開放状態にある開閉弁体の前にきて障壁となる。これによって開閉弁体は上記ロック状態の解除が既になされた後においても、制動体に邪魔されて流路閉止方向へは回動することができない。一方、水流がなくなると制動体はバネに付勢されて開閉弁体の前から退避する。これによって開閉弁体は流路閉止方向へ回動することが可能となり、回動する。
よって第３の特徴による流路開閉器によれば、上記第２の特徴による作用効果に加えて、流路開放手段、ロック手段、ロック解除手段、及び開閉弁体制動手段のそれぞれをそれらの構成部材により確実に動作させることができ、プッシュスイッチの１回の操作だけで、流路を確実に開放し、そして流水が有るまでは確実にその開放状態を維持し、流水が行われている間は確実に開放状態を保持させることができ、またその後に流水が途絶えた場合には自動的に且つ確実に流路を閉止することができる。
【０００９】
上記第４の特徴による給湯装置によれば、異なる種類の給湯運転に対して共通の給湯路と各特定の給湯運転に専用の給湯路が設けられ、共通の給湯路には各給湯運転に共通の開閉弁が設けられ、且つある特定の給湯運転に対応して用いられる特定の専用給湯路には上記した特徴を持つ流路開閉器が配されている。そして前記ある特定の給湯運転が行われる場合には、共通の給湯路の開閉弁が開かれる前に対応する専用給湯路の当該流路開閉器を手動にて一旦開放することで、その後に共通の給湯路の開閉弁が開かれると、温水が共通の給湯路から対応する専用の給湯路を通って所望の温水供給が行われる。そして開始した前記特定の給湯運転を終了する場合には、その終了により共通の給湯路の開閉弁が一旦閉止されると、前記流路開閉器も自然に流路を閉止する。よって運転終了時には再び流路開閉器を操作する必要がなく、しかもその後に別の種類の給湯運転が行われて共通の給湯路の開閉弁が開かれても、その際の温水が共通の給湯路から前記特定の専用給湯路に流れ込んでしまうといったことが確実に防がれる。
よって第４の特徴による給湯装置によれば、異なる種類の給湯運転が１つの装置で行えるように共通の給湯路と専用の給湯路を設けたものにおいて、その専用の給湯路を用いた温水供給を行う場合に、その専用の給湯路の手動による開閉操作を運転開始時に１回行うだけで、運転終了時には専用の給湯路の閉止操作を行うのを省くことができる。従ってその後に別の種類の給湯運転を行う場合にも、その前に使用した専用の給湯路に対する手動閉止操作等をすることなく、また前記専用の給湯路に温水が流れ込んでしまうことなく、前記別の種類の給湯運転を行うことができる。勿論、流路開閉器のための電線を長々と引くための施工上、コスト上、メンテナンス上の問題も生じない。
【００１０】
上記第５の特徴によれば、流路開閉器を設けた専用給湯路を利用したある特定の給湯運転の運転スイッチがオンすると、共通給湯路の開閉弁が開閉状態から閉止する等して一定時間、閉止状態を保持する。従ってその間に流路開閉器を開放操作することができる。前記一定時間が経過すると共通給湯路の開閉弁が開かれ、温水が共通の給湯路から専用の給湯路を通って所望の端末器へ流れる。そして前記特定の給湯運転がタイマー等により自動的に或いは運転スイッチオフ操作により終了する際には、少なくとも前記共通の給湯路の開閉弁が一旦閉止される。これによって、流路開閉器は自然復帰して流路を閉止する。よってその後に別の給湯運転がなされて共通の給湯路の開閉弁が開いても、前記流路開閉器のある専用の給湯路に温水が流れ込む不都合は生じない。
以上、第５の特徴によれば、上記第４の特徴による作用効果に加えて、共通の給湯路と専用の給湯路を備え、異なる種類の給湯運転ができるようにした装置において、流路開閉器を用いたある特定の給湯運転を一層容易に行うことができる。
【００１１】
【発明の実施の形態】
以下、本発明の実施の形態を図面を参照しながら説明する。
図１は本発明の第１の実施形態に給湯装置の概略構成図である。図２は流路を閉止状態にした流路開閉器を示し、（Ａ）は水平断面図、（Ｂ）は縦断面図である。図３は流路を開放状態にした流路開閉器を示し、（Ａ）は水平断面図、（Ｂ）は縦断面図である。図４は流路開閉器の動作機構を説明する図で、（Ａ）はプッシュロッドとロック用可動体とロック用固定体の位置関係を示す図、（Ｂ）はロック用可動体の背面側から見た流路開閉器の図である。図５は給湯装置の運転制御の例を示すフローチャートである。
【００１２】
図１を参照して、先ず給湯装置の全体構成を説明する。
１０は缶体で、該缶体１０の内部でバーナ１１等による燃焼が行われる。バーナ１１の燃焼に対して送風機１２から空気が供給される。前記バーナ１１へは元ガス電磁弁１１ａ、ガス比例弁１１ｂを介して都市ガス等が供給される。前記ガスバーナ１１はオイルバーナ等、他の種類のバーナであってもよい。
【００１３】
前記缶体１０内の上部には、温水供給用の熱交換器２１が配置されており、その熱交換器２１がバーナ１１で加熱されるようになっている。熱交換器２１へは入水路２２が接続し、また熱交換器２１からは給湯路２３が接続している。
前記給湯路２３は、共通給湯路２３１と該共通給湯路２３１から分岐して設けられる専用給湯路として、例えば台所等への一般給湯路２３２、浴室内に給湯する浴室給湯路２３３、浴室の床に温水を流して床暖房を行うための流湯暖房路２３４が設けられる。前記一般給湯路２３２にはその末端にカラン２３２ａが設けられる。また前記浴室給湯路２３３にもその末端に混合カラン２３３ａが設けられ、給水路２３３ｂからの水と混合して温水を供給することができるようにしている。
【００１４】
前記専用給湯路である一般給湯路２３２と浴室給湯路２３３と流湯暖房路２３４のうち、一般給湯路２３２と浴室給湯路２３３は、本来的には使用者によるカラン２３２ａ、２３２ｂの操作で開け閉めされるものである。その一方、前記流湯暖房路２３４は流湯暖房運転のために設けられるもので、その流路の開閉は運転スイッチに連動して自動的に開閉するものが本来的に好ましいといえる。
本発明の実施形態では前記流湯暖房路２３４に電磁開閉弁等の電線を必要とするものの代わりに、電線等を必要としない手動の流路開閉器３０を配するようにしている。
【００１５】
前記入水路２２には、入水流量センサ４１、入水温度センサ４２が設けられ、また前記共通給湯路２３１には該共通給湯路２３１の流路を開閉する開閉弁の機能を兼ね備えた過流出防止水量調節弁４３、給湯温度センサ４４が設けられている。
５０はコントローラ、６０はメインリモコン、７０は風呂リモコンで浴室等に設けられる。
【００１６】
前記流路開閉器３０について、図２〜図４を参照して説明する。
流路開閉器３０は手動式である。流路開閉器３０は、その外観が外装体を兼ねる本体３１と使用者によって操作されるプッシュスイッチ３２とからなる。前記本体３１は、内部に流路を構成する管部本体３１１と、内部に機構部を構成する機構部本体３１２とからなる。
【００１７】
前記プッシュスイッチ３２はプッシュロッド３３と一体に構成されている。プッシュロッド３３は機構部本体３１２内に差し込まれた状態に構成されている。
前記機構部本体３１２内には、付勢バネ３４により背後から付勢されるロック用可動体３５が配されている。またロック用固定体３６（図４参照、図２の（Ａ）及び図３の（Ａ）には図示せず）が機構部本体３１２の内周壁に一体的に固設されている。
一方、前記管部本体３１１内には開閉弁体３７と制動体３８が設けられている。
【００１８】
前記プッシュロッド３３にはその先端近くの側周部にガイドピン３３ａを設けている。またプッシュロッド３３の先端面には前記ロック用可動体３５を円周方向に移動ガイドするガイド歯３３ｂが設けられている。
なおプッシュロッド３３は、機構部本体３１２の内面に設けられた図示しないガイドによって回転することなく進退動作するように構成されている。
【００１９】
前記付勢バネ３４によって背後から付勢されたロック用可動体３５は、前記プッシュロッド３３の先端面のガイド歯３３ｂと当接する被ガイド片３５ｂを複数個（この例では３５ｂ１、３５ｂ２、３５ｂ３の３個）円周方向に離間して設けている。
前記ロック用固定体３６は、その先端面に前記ロック用可動体３５の被ガイド片３５ｂと係合するロック歯３６ｂを設けている。
前記開閉弁体３７は、その基部を回動軸３７ａに構成しており、該回動軸３７ａには軸方向に螺旋する螺旋ガイド溝３７ｂが設けられている。
前記制動体３８は、例えば流路の径に近い径を持つカップ状に形成され、管部本体３１１内の流路に介在されて進退することができるように構成されている。制動体３８の一部には水流を側方に導く開口からなる水流ガイド３８ａを備えている。またバネ３８ｂと後退止め３８ｃによって、流路方向に進出と退避ができるようになされている。
【００２０】
前記開閉弁体３７は、通常時は図２の（Ｂ）に示すように、管部本体３１１の流路を閉止した状態にある。この状態においては、前記プッシュスイッチ３２及びプッシュロッド３３は、図２の（Ａ）に示すように、後退した位置にある。また管部本体３１１内の流路に水流が生じていない場合においては、制動体３８はバネ３８ｂによって図２の（Ｂ）に示す退避位置にある。
【００２１】
図２、図３、図４を参照して、今、図２及び図４の（Ａ）のステップＳ１に示す開閉弁体３７の流路閉止状態から、作業者（使用者）等が手動にてプッシュスイッチ３２を押すと、プッシュロッド３３が付勢バネ３４に抗して、図４の（Ａ）のステップＳ１からステップＳ２、ステップＳ３、ステップＳ４に示すように、ロック用可動体３５を一緒に移動させながら進出する。このときプッシュロッド３３のガイドピン３３ａが開閉弁体３７の回動軸３７ａの螺旋ガイド溝３７ｂに係合した状態で進出する結果、回動軸３７ａを回動し、開閉弁体３７を流路開放状態まで回動させる（図３の（Ｂ）参照）。
以上より流路を開放する流路開放手段としては、前記プッシュスイッチ３２と、プッシュロッド３３と、ガイドピン３３ａと、開閉弁体３７の回動軸３７ａの螺旋ガイド溝３７ｂから構成されることになる。
【００２２】
前記図４の（Ａ）のステップＳ１からＳ４において、ロック用可動体３５は、それが進出状態（ステップＳ１、Ｓ２）にあるときは、その被ガイド片３５ｂの側壁がロック用固定体３６の側壁と係合状態にあるため、該ロック用可動体３５はそれ自身が自転することなく進退する。その一方、ロック用可動体３５の位置がある一定の途中位置（ステップＳ３）を超えて前記プッシュロッド３３により押し込まれると（ステップＳ４）、前記被ガイド片３５ｂの側壁とロック用固定体３６の側壁との係合状態が解かれる。するとプッシュロッド３３先端面のガイド歯３６ｂと噛み合った状態の被ガイド片３５ｂは、前記ガイド歯３６ｂの傾斜歯面にガイドされて少しスライドされる。即ち、ロック用可動体３５は少し自転される（ステップＳ４）。
【００２３】
次に前記開閉弁体３７を開放状態になるまでプッシュスイッチ３２を押した後、プッシュスイッチ３２を離すと（ステップＳ５）、プッシュロッド３３は付勢バネ３４によって少し押し戻されるが、それ以上押し戻されることなくその位置に止まる。その理由は、ロック用可動体３５は上記のようにプッシュロッド３３によって押された際に少し自転させられており、被ガイド片３５ｂ（図４の（Ａ）の図面上では３５ｂ１）が前記ロック用固定体３６の先端面のロック歯３６ｂと対抗する位置に移動されている。このため、前記プッシュロッド３３の解き放ちによる少しの後退に伴い、ロック用可動体３５の被ガイド片３５ｂがロック用固定体３６と当接し、ロック用固定体３６のロック歯３６ｂの傾斜歯面にガイドされて更にスライドしロック状態となるからである（ステップＳ５）。このロック状態では、もはや付勢バネ３４の付勢力はプッシュロッド３３には及ばない。よってプッシュロッド３３はその位置に維持される状態となり、開閉弁体３７も開閉状態に維持されることになる。
以上より、開閉弁体３７を開放状態にロックするロック手段としては、付勢バネ３４に付勢されたロック用可動体３５と、ロック用固定体３６から構成されることになる。
【００２４】
前記開閉弁体３７が開放状態でロックされているときに（ステップＳ５）、流路開閉器３０の管部本体３１１に水が流れてくると、その水流により制動体３８がバネ３８ｂに抗して、開放状態にある開閉弁体３７の直ぐ前まで進出される。これによって制動体３８の水流ガイド３８ａが水流を流路に直角な方向の側方に導き、水流を開放状態にある開閉弁体３７を更に開く方向に当てる。この動水圧によって開閉弁体３７は更に開かれる。するとそれに伴って回動軸３７ａが更に少し回転し、結果として螺旋ガイド溝３７ｂ、ガイドピン３３ａを介してプッシュロッド３３が再び、しかも前より一層進出する（ステップＳ６）、これによってプッシュロッド３３の先端面のガイド歯３３ｂが再びロック用可動体３５の被ガイド片３５ｂと当接して押動すると共に、該被ガイド片３５ｂをガイド歯３３ｂの歯面に沿って更にスライドし、ロック用固定体３６との係合を解除する（ステップＳ７）。
以上よりロック用可動体３５とロック用固定体３６とのロック状態を解き、開閉弁体３７をロック状態から解除するロック解除手段としては、制動体３８の水流ガイド３８ａと、螺旋ガイド溝３７ｂと、ガイドピン３３ａと、プッシュロッド３３とから構成されることになる。
【００２５】
前記ロック用可動体３５とロック用固定体３６とのロック状態が解かれると、付勢バネ３４の付勢力が再びプッシュロッド３３に加わることになるが、開閉弁体３７の流路閉止方向への回動は、流路に水が流れている間は前記制動体３８による障壁によって制止される。即ち、上述したように、前記開閉弁体３７が開放状態でロックされているときに（ステップＳ５）、流路開閉器３０の管部本体３１１に水が流れてくると、その水流により制動体３８がバネ３８ｂに抗して、開放状態にある開閉弁体３７の直ぐ前まで進出し、開閉弁体３７の閉止方向への回動を防止する。
一方、この制動体３８は、流路開閉器３０の管部本体３１１への水流が途絶えると、バネ３８ｂによって退避位置（図２の（Ｂ））まで後退され、開閉弁体３７の閉止方向への回動を許容する。これにより開閉弁体３７は、水流が停止されると付勢バネ３４により流路閉止状態に復帰される（ステップＳ８）。
以上より、ロックを解除された開閉弁体３７を水流がある間において流路開放状態に制止すると共に、水流がなくなると流路閉止状態への自動復帰を許容する開閉弁体制動手段は、上記制動体３８から構成されることになる。
【００２６】
次に本発明の流路開閉器３０を専用給湯路である流湯暖房路２３４に配した給湯装置において、流湯暖房運転を行う場合のコントローラ５０による制御例を図５のフローチャートを参照して説明する。今、風呂を使用しようとする者によって、風呂リモコン７０等に設けられた流湯暖房運転スイッチがオンされると、コントローラ５０は、先ず共通給湯路２３１にある過流出防止水量調節弁４３を一定時間だけ全閉にする（ステップＳ１１）。これにより流路開閉器３０がある流湯暖房路２３４の水圧が開放され、閉止状態の開閉弁体３７が作動可能となる。
【００２７】
次に前記風呂を使用しようとする者による手動操作により、流路開閉器３０のプッシュスイッチ３２が押されることで開操作がなされると、開閉弁体３７が流路開放状態まで回動され、その位置で一旦ロック状態となる（ステップＳ１２）。
【００２８】
コントローラ５０は前記過流出防止水量調節弁４３を全閉にする一定時間、例えば１分間（勿論、数十秒から数分として一定時間を設定してもよい。）が経過すると（ステップＳ１３でイエス）、過流出防止水量調節弁４３を開く（ステップＳ１４）。
これにより流路開閉器３０に水圧が加わり、制動体３８が進出して開閉弁体３７の前に障壁となると共に、水流ガイド３８ａが開閉弁体３７に向けて開口する位置にくる。前記過流出防止水量調節弁４３の開放により流水が開始され、熱交換器２１で加熱された温水が共通給湯路２３１から流湯暖房路２３４に流れ、浴室内の床への温水供給が開始される（ステップＳ１５）。そして前記水流ガイド３８ａによって水流が開閉弁体３７に当てられ、この流水圧によって開閉弁体３７が更に開かれる結果、前記ロック状態が解除される。この状態では開閉弁体３７は制動体３８によって流路閉止方向への回動が制止されている。なお前記床への温水供給は、例えば５０℃で行うことができる。
【００２９】
浴室床暖房に用いる流湯は通常あまり長い時間を必要としないので、一定の設定時間だけ行われることになる。コントローラ５０は予め設定された時間が経過すると（ステップＳ１６でイエス）、一旦、過流出防止水量調節弁４３を一定時間だけ全閉させる（ステップ１７）。同時に風呂リモコン７０等に内蔵のブザーを一定時間鳴らす等して知らせるようにしてもよい。
前記ステップＳ１７で過流出防止水量調節弁４３が閉止されると、これによって制動体３８に加わる水圧がなくなり、該制動体３８はバネ３８ｂによって開閉弁体３７の前から退避される。すると開閉弁体３７は付勢バネ３４によって回動され、流路閉止状態に復帰する。
【００３０】
その後、一定時間の経過、例えば３０秒の経過により過流出防止水量調節弁４３が開放状態とされる（ステップＳ１８）。これにより流路開閉器３０に再度水圧が加わる結果、開閉弁体３７が水圧によって強く押さた状態となって流路を確実に閉止し、止水が完了する。
その後に流湯暖房運転スイッチが自動的にオフとなって（ステップＳ１９）、流湯暖房運転が全て終了する。
前記流湯暖房運転が全て終了した時点では、流湯暖房路２３４は閉止しており、別の給湯運転を支障なく開始することができる。
【００３１】
上記においては流路開閉器３０を流湯暖房路２３４に配して流湯暖房運転を行う場合について説明したが、流路開閉器３０をその他の給湯運転を行うための専用給湯路に配して、その専用給湯路における運転終了に伴う流路の自動閉止を行わせるようにしてもよい。
【００３２】
【発明の効果】
本発明は以上の構成、作用からなり、請求項１に記載の流路開閉器によれば、流路の途中に介装され、流路の開閉を行う手動の流路開閉器であって、手動の操作部により流路を開放すると共に該開放状態でロックし、前記開放状態において水流による水圧が加わると前記ロックを自動解除し、その後に水流が途絶えると流路閉止状態へ自動復帰するように構成したので、
流路に温水等の水を流す場合において、本発明の流路開閉器によって初めに流路を開放すれば、給湯等の終了時には、何ら手動操作をすることなく流路を閉止状態に復帰させることができ、手間を省くことができる。しかも装置は手動式であるので、電線等の配線工事等を必要とせず、低コストでどのような場所にでも容易に配設することが可能である。
また請求項２に記載の流路開閉器によれば、上記請求項１に記載の構成による効果に加えて、操作部を押動させることで開閉弁体を付勢力に反して流路閉止状態から流路開放状態へと移動させる流路開放手段と、開閉弁体を流路開放状態に移動させた後に操作部を離すことで前記開閉弁体をその開放位置にロックするロック手段と、開閉弁体が流路開放状態にあるときに水が流れることで生じる動水圧によって前記開閉弁体のロック状態を解除するロック解除手段と、ロックを解除された開閉弁体を水流が有る間において流路開放状態に制止すると共に、水流がなくなると流路閉止状態への付勢力による自動復帰を許容する開閉弁体制動手段とを有するので、
流路開放手段とロック手段とロック解除手段と開閉弁体制動手段とを有することで、１回の操作をするだけで流路を確実に開放し、そして流水が有るまでは確実にその開放状態を維持し、水が流れている間は確実に開放状態を保持し、その後に流水が途絶えると自動的に且つ確実に流路を閉止することができる。
また請求項３に記載の流路開閉器によれば、上記請求項２に記載の構成による効果に加えて、流路開放手段は、プッシュスイッチと、該プッシュスイッチの操作によって進退するプッシュロッドと、該プッシュロッドに固定されたピンであってプッシュロッドの進出に伴って開閉弁体の回動軸に設けられた螺旋ガイド溝と係合しながら進出することで前記開閉弁体を流路閉止状態から開放状態まで回動させるガイドピンとからなり、ロック手段は、付勢バネにより背後から付勢され前記プッシュロッドの先端部に当接して該プッシュロッドを後退方向に常時付勢するロック用可動体と、流路開閉器の本体に固設され、前記開閉弁体を流路開放状態まで移動させた後にプッシュスイッチを離した際に前記ロック用可動体に係合し、これによって前記付勢バネによるプッシュロッドへの後退方向の付勢力を断つロック用固定体とからなり、ロック解除手段は、開放状態にある開閉弁体に対して更に開く方向に動水圧が加わるように水流をガイドする水流ガイドと、前記動水圧によって開閉弁体が更に開いたときに前記プッシュロッドのガイドピンを更に進出させる前記開閉弁体の回動軸の螺旋ガイド溝と、前記ガイドピンの進出に伴って更に進出して前記ロック用可動体を押して前記ロック用固定体との係合を解くプッシュロッドとからなり、開閉弁体制動手段は、水流が生じるとバネに抗して前記開放状態にある開閉弁体の前に進出して該開閉弁体の閉止方向への動きを制止し、水流がなくなると退避する制動体からなるので、
ロック手段、ロック解除手段、及び開閉弁体制動手段のそれぞれをそれらの構成部材により確実に動作させることができ、プッシュスイッチの１回の操作だけで流路を確実に開放し、そして流水が有るまでは確実にその開放状態を維持し、流水が有る間は確実に開放状態を保持させることができ、且つその後に流水が途絶えた場合には自動的に且つ確実に流路を閉止することができる。
また請求項４に記載の給湯装置によれば、異なる種類の給湯運転に対して共通の給湯路とそこから分岐されてある特定の給湯運転に用いられる専用の給湯路とを有する給湯装置であって、ある特定の種類の給湯運転に対応して用いられる専用の給湯路の途中に請求項１〜３の何れかに記載の流路開閉器を配するようにし、該特定の給湯運転の際には、共通の給湯路に設けられた開閉弁が開放される前に前記流路開閉器を手動にて開放することで該専用の給湯路への温水供給を可能とすると共に、前記特定の給湯運転の終了の際には、前記共通の給湯路の開閉弁が一旦閉止されることで前記専用の給湯路の流路を自動的に閉止し、且つその後において他の給湯運転のために前記共通の給湯路の開閉弁が開かれても前記流路開閉器が配された専用の給湯路には温水が流れないようにしたので、
異なる種類の給湯運転が１つの装置で行えるように共通の給湯路と専用の給湯路を設けたものにおいて、その専用の給湯路を用いた温水供給を行う場合に、その専用の給湯路の手動による開閉操作を運転開始時に１回行うだけで、運転終了時には専用の給湯路の閉止操作を行うのを省くことができる。従ってその後に別の種類の給湯運転を行う場合にも、その前に使用した専用給湯路に対する手動閉止操作等をすることなく、また前記専用の給湯路に温水が流れ込んでしまうことなく、前記別の種類の給湯運転を行うことができる。勿論、流路開閉器のための電線を長々と引くための施工上、コスト上、メンテナンス上の問題も生じない。また請求項５に記載の給湯装置によれば、上記請求項４に記載の構成による効果に加えて、ある特定の種類の給湯運転においては、運転スイッチがオンしてから一定時間は共通の給湯路の開閉弁を閉止状態に保持し、その間に流路開閉器を手動操作にて開放できるように構成し、且つ運転の終了の際には少なくとも前記共通の給湯路の開閉弁を一旦閉止する構成としたので、
共通の給湯路と専用の給湯路を備え、異なる種類の給湯運転ができるようにした装置において、流路開閉器を用いたある特定の給湯運転を一層容易に行うことができる。
【図面の簡単な説明】
【図１】本発明の第１の実施形態に給湯装置の概略構成図である。
【図２】流路を閉止状態にした流路開閉器を示し、（Ａ）は水平断面図、（Ｂ）は縦断面図である。
【図３】流路を開放状態にした流路開閉器を示し、（Ａ）は水平断面図、（Ｂ）は縦断面図である。
【図４】流路開閉器の動作機構を説明する図で、（Ａ）はプッシュロッドとロック用可動体とロック用固定体の位置関係を示す図、（Ｂ）はロック用可動体の背面側から見た流路開閉器の図である。
【図５】給湯装置の運転制御の例を示すフローチャートである。
【符号の説明】
１０  缶体
１１  バーナ
１２  送風機
２１  熱交換器
２２  入水路
２３  給湯路
２３１  共通給湯路
２３３  浴室給湯路
２３４  流湯暖房路
３０  流路開閉器
３１  本体
３１１  管部本体
３１２  機構部本体
３２  プッシュスイッチ
３３  プッシュロッド
３３ａ  ガイドピン
３３ｂ  ガイド歯
３４  付勢バネ
３５  ロック用可動体
３５ｂ  被ガイド片
３６  ロック用固定体
３６ｂ  ロック歯
３７  開閉弁体
３７ａ  回動軸
３７ｂ  螺旋ガイド溝
３８  制動体
３８ａ  水流ガイド
３８ｂ  バネ
３８ｃ  後退止め
４３  過流出防止水量調節弁
５０  コントローラ
６０  メインリモコン
７０  風呂リモコン
【図１】
0003707325.tif 000002
【図２】
0003707325.tif 000003
【図３】
0003707325.tif 000004
【図４】
0003707325.tif 000005
【図５】
0003707325.tif 000006